(57)【要約】    【課題】  固定締め付け部材の別途保管を不要として、固定作業性を向上させる。    【解決手段】  物品搬送保管装置(10)に、搬送対象物を固定するための固定締め付け部材(15)を備えた固定装置(13)を一体的に取り付ける。上記固定締め付け部材(15)が支柱から出没可能になっていることもある。上記固定締め付け部材(15)が固定装置(13)に内蔵された巻き取り機構(20)か、物品搬送保管装置(10)の下面に配された巻き取り機構(30)に巻き取られるようになっていることもある。【選択図】    図２
2005161924.tif 000002
【特許請求の範囲】
【請求項１】
搬送対象物を固定するための固定締め付け部材を備えた固定装置を一体的に取り付けた物品搬送保管装置。
【請求項２】
上記固定装置が支柱に一体化されることを特徴とする請求項１に記載の物品搬送保管装置。
【請求項３】
上記固定締め付け部材が支柱から出没可能になっていることを特徴とする請求項１又は２に記載の物品搬送保管装置。
【請求項４】
上記固定締め付け部材が固定装置に内蔵された巻き取り機構に巻き取られるようになっていることを特徴とする請求項１〜３のいずれか一項に記載の物品搬送保管装置。
【請求項５】
支柱から出没可能な固定締め付け部材が物品搬送保管装置の下面に配された巻き取り機構に巻き取られるようになっていることを特徴とする請求項１に記載の物品搬送保管装置。
【請求項６】
上記巻き取り機構が固定締め付け部材を巻き取り方向に引っ張るようにばね付勢されていることを特徴とする請求項４又は５に記載の物品搬送保管装置。
【請求項７】
上記巻き取り機構が回転方向切り換え式の一方向クラッチであることを特徴とする請求項４又は５に記載の物品搬送保管装置。
【請求項８】
上記固定装置が、引き出した固定締め付け部材の引き出しをロックする機構を有していることを特徴とする請求項６に記載の物品搬送保管装置。
【請求項９】
上記固定装置に、増し締め機構が付設されていることを特徴とする請求項１〜８のいずれか一項に記載の物品搬送保管装置。
【請求項１０】
上記固定締め付け部材の自由端にフック片が設けられていることを特徴とする請求項１〜９のいずれか一項に記載の物品搬送保管装置。
【請求項１１】
上記固定装置が物品搬送保管装置の高さ方向に複数個設けられていることを特徴とする請求項１〜１０のいずれか一項に記載の物品搬送保管装置。
【請求項１２】
上記固定装置が物品搬送保管装置の対角方向に複数個設けられていることを特徴とする請求項１〜１１のいずれか一項に記載の物品搬送保管装置。
【請求項１３】
上記固定装置が複数個設けられ、これらから引き出される固定締め付け部材が物品搬送保管装置の下面に配された単一の巻き取り機構に巻き取られるようになっていることを特徴とする請求項１〜３のいずれか一項に記載の物品搬送保管装置。
【請求項１４】
搬送用台車の支柱に着脱自在で、内蔵した巻き取り機構に固定締め付け部材を収納した、搬送対象物を固定するための固定装置。
【請求項１５】
上記巻き取り機構が固定締め付け部材を巻き取り方向に引っ張るようにばね付勢されていることを特徴とする請求項１４に記載の固定装置。
【請求項１６】
上記巻き取り機構が回転方向切り換え式の一方向クラッチであることを特徴とする請求項１４に記載の固定装置。
【請求項１７】
引き出した固定締め付け部材の引き出しをロックする機構を有していることを特徴とする請求項１５又は１６に記載の固定装置。
【請求項１８】
増し締め機構が付設されていることを特徴とする請求項１４〜１７のいずれか一項に記載の固定装置。
【請求項１９】
上記固定締め付け部材の自由端にフック片が設けられていることを特徴とする請求項１４〜１８のいずれか一項に記載の固定装置。
【発明の詳細な説明】
【技術分野】
【０００１】
本発明は、物品搬送・保管装置に関し、詳しくは搬送対象物を固定するための固定装置が台車に取り付けられた構造に関するものである。
【背景技術】
【０００２】
【特許文献１】特開平１１−１７１０２２号公報
【特許文献２】特開２００２−２６４８１５号公報
【特許文献３】特開２００３−２３２６号公報
【特許文献４】特開２００３−２２１０号公報
【０００３】
搬送用台車（物品搬送保管装置）については、様々な提案が過去なされており、例えば特許文献１〜４にキャスタ付き台車が開示されている。
複写機、ファクシミリ、プリンタ、ダイレクトデジタル製版機等の画像形成装置を、このようなキャスタ付き台車で搬送することが多くなってきた。画像形成装置等は重量物であり、これをキャスタ付き台車で搬送する場合、台車にしっかりと固定した上で慎重に搬送作業を行わなければならない。画像形成装置は衝撃に弱く、もし搬送中に台車上で画像形成装置がずれたりすれば、重量物ゆえに、これを押えることが容易でなく、台車上のずれ・変位が大きければ台車から脱落して画像形成装置が損傷しかねない。新品製品の場合には段ボール等の梱包材を用いて搬送するのが一般的であるが、回収リサイクル対象となる画像形成装置では、剥き出しのまま搬送されるのが常態である。
【０００４】
そのため、画像形成装置等の搬送対象物を台車に乗せて搬送する場合、この搬送対象物を台車に固定することになるが、特別な専用設計の台車でない限り、ベルトや紐のような固定締め付け部材を用いて搬送対象物を台車に取り付けるよう固定作業が行われる。
【発明の開示】
【発明が解決しようとする課題】
【０００５】
しかしながら、従来のベルトや紐は、台車とは別体となっており、搬送に用いないときには別途保管されている。そのため、保管場所を確保する必要があるだけでなく、別体のため紛失し易く、搬送費用に関してコストアップの要因ともなっていた。しかも、別体であるために搬送対象物を固定する際に固定締め付け部材を台車に結わえたりするなど、昔ながらの固定作業にさほど進歩が見られなかった。長さ調整可能なベルトを固定搬送に用いることも多いが、このようなベルトは長さ調整が意外と煩わしく、また長さ調整部材がもっぱら金属製であるために、搬送対象物を固定したり搬送中に搬送対象物に当たって損傷させるおそれもある。
【０００６】
本発明は、このような従来の問題点に鑑み、固定締め付け部材の別途保管を不要として、固定作業性を向上させることを課題としている。
【課題を解決するための手段】
【０００７】
上記課題は、物品搬送保管装置に、搬送対象物を固定するための固定締め付け部材を備えた固定装置を一体的に取り付けることにより、解決される。上記固定装置が支柱に一体化されているのが好適である。上記固定締め付け部材が支柱から出没可能になっていれば、一層好ましい。上記固定締め付け部材が固定装置に内蔵された巻き取り機構か、物品搬送保管装置の下面に配された巻き取り機構に巻き取られるようになっているのが、好都合である。
【０００８】
上記巻き取り機構が固定締め付け部材を巻き取り方向に引っ張るようにばね付勢されていることも、好適である。あるいは上記巻き取り機構が回転方向切り換え式の一方向クラッチであってもよい。上記固定装置が、引き出した固定締め付け部材の引き出しをロックする機構を有しているのが、好都合である。上記固定装置に、増し締め機構が付設されているのが、なお良い。上記固定締め付け部材の自由端にフック片が設けられていれば、なお良い。上記固定装置が物品搬送保管装置の高さ方向に複数個設けられていることが想定される。また、上記固定装置が物品搬送保管装置の対角方向に複数個設けられていることも想定される。上記固定装置が複数個設けられ、これらから引き出される固定締め付け部材が物品搬送保管装置の下面に配された単一の巻き取り機構に巻き取られるようになっていることも好ましい。
【０００９】
搬送用台車の支柱に着脱自在で、内蔵した巻き取り機構に固定締め付け部材を収納した、搬送対象物を固定するための固定装置は、台車に取り付けておくことで、上記課題を解決できる。上記巻き取り機構が固定締め付け部材を巻き取り方向に引っ張るようにばね付勢されているか、回転方向切り換え式の一方向クラッチであるのが、好適である。引き出した固定締め付け部材の引き出しをロックする機構を有しているのが、好都合である。増し締め機構が付設されているのが、なお良い。上記固定締め付け部材の自由端にフック片が設けられていれば、なお良い。
【発明の効果】
【００１０】
本発明によれば、固定締め付け部材の別途保管を不要にし、固定作業性を向上することができる。固定締め付け部材が支柱から出没可能になっていることで、不要時に退避位置へ収納することができ、保管性に優れる。上記固定装置に、増し締め機構が付設されていれば、運搬時の締め付けの弛みを回避できる。巻き取り機構が物品搬送保管装置（台車）の下面に配されていれば、搬送載置面の有効面積を広く確保でき、また重心を低くすることにもなる。
【００１１】
搬送用台車の支柱に着脱自在で、内蔵した巻き取り機構に固定締め付け部材を収納した、搬送対象物を固定するための固定装置によれば、汎用性台車を用いて、固定締め付け部材の別途保管を不要にでき、固定作業性も向上させることが可能である。
【発明を実施するための最良の形態】
【００１２】
以下、本発明の実施の形態を図面に基づいて詳細に説明する。
図１は、画像形成装置を載置・搬送する物品搬送保管装置の一例を示すものである。物品搬送保管装置１０は、底板１１を３面のパイプ格子からなるロールケージ１２で取り囲んだ形状となっている。底板１１は基枠１９上に載置され、適宜な手段で基枠１９に固定されている。ロールケージ１２は底部を基枠１９に固定して立設し、対向する２面のパイプ格子１２ａ，１２ｂが長方形基枠１９の２つの短辺に、また残りのパイプ格子１２ｃが長方形基枠１９の（奥側に位置する）一方の長辺にそれぞれ立設している。したがって、物品搬送保管装置１０の前面と上面は開放している。なお、ここでは、パイプ格子１２ａ，１２ｂの側を物品搬送保管装置の左右、パイプ格子１２ｃの側を物品搬送保管装置の奥、パイプ格子１２ｃと反対側を手前と呼んで説明する。
【００１３】
図示の例では、左側パイプ格子１２ａの前側縦パイプに高さ方向に２個、固定装置１３が設けられている。この固定装置１３には、後述するベルト１５（図３参照）が巻き取り収納されている。基枠１９の四隅の下面には、キャスタ１４が取り付けられている。したがって、物品搬送保管装置１０は、キャスタ付き台車の左右両面と奥側をパイプ格子で囲んだ構成となっている。
【００１４】
図２は、物品搬送保管装置１０による画像形成装置１の納品状態を示すものである。この図に示すように、物品搬送保管装置１０の底板１１上に画像形成装置１を載せ、固定装置１３から引き出された２本のベルト１５，１５を画像形成装置の側面に沿わせ、パイプ格子１２の適当なパイプ（図示の例では左側パイプ格子１２ａの奥側縦パイプ）へと掛け渡し、ベルトを締め付けて画像形成装置１をパイプ格子１２に押し付けることにより、画像形成装置１が物品搬送保管装置１０の側面にしっかりと固定した状態で積載されることになる。ベルト１５の自由端には、図３に示すように、フック１６が備えられ、任意のパイプに掛け渡すことが容易になっている。本例では、２本のベルトにより画像形成装置を固定する構成としたが、３本以上のベルトを用いて固定する構成とすることも可能であるし、ベルトが複数本であることも必須ではない。固定のためにはベルト端部をパイプ格子のパイプに引っ掛けるだけですむので、構成的に格別複雑にならない。
【００１５】
パイプ格子１２と画像形成装置１の間、画像形成装置１と当該装置の側面に沿うベルト１５の間、更には基枠１９と底板１１の間に、緩衝部材を介在させてもよい。緩衝部材として例えば無反発性のゴム材を使用すれば、衝撃・振動吸収の効果が大きく、輸送中の振動や衝撃などから画像形成装置１を保護することができる。なお、ここでは図示していないが、装置の汚れなどを防ぐために、画像形成装置１はポリ袋等を被せて覆うようにしてもよい。
【００１６】
また図４に示すように、固定装置１３の取り付け位置を増やして対角方向（図示の例ではパイプ格子１２の４つの角部）に備え、ベルトを左右方向だけでなく、前後方向にも掛けるように構成してやれば、パイプ格子に触れることなく更にしっかりと画像形成装置１を固定でき、輸送中の振動などにより画像形成装置が格子側面に強く押し付けられたりすることがなくなり、画像形成装置自体への衝撃が緩和される。
【００１７】
そして、図２に示すような状態で、物品搬送保管装置１０に載置された画像形成装置１は、トラック等によりユーザの元へ搬送されて納品される。底板１１にはキャスタ１４が取り付けられており、搬入も容易である。納品された画像形成装置１は、ベルト１５，１５を緩めフック１６を外すことにより、容易に物品搬送保管装置１０から降ろすことができ、取り外し作業も容易である。開梱後の物品搬送保管装置１０は再びトラック等により回収して再使用する。その際、固定装置１３は物品搬送保管装置１０に一体化されているので、この固定装置１３や、その中に巻き付き収納されたベルト１５が紛失するおそれもない。
【００１８】
本例の物品搬送保管装置１０によれば、底板１１上に搭載可能な大きさのものであれば、サイズや形状が異なる画像形成装置であっても、固定状態で積載・梱包することができ、梱包及び開梱作業も容易である。なお、画像形成装置は同じ機種であってもオプション装置、例えばソータや大量給紙装置などの有無によって装置全体のサイズや形状が異なってくるが、本例の物品搬送保管装置１０であればオプション装置の有無にも対応可能である。
【００１９】
固定装置１３の詳細な構造を次に説明する。図５に示すように、ベルト１５はばね等で成る巻き取り機構２０に取り付けられ、収納方向に巻き取られるように力をかけられており、引き出すように引っ張ると、この収納方向力に抗しながら、ベルト１５は固定装置１３から外部へ引き出される。引っ張りをやめると巻き取り機構２０の作用によってベルト１５は固定装置１３内に巻き取られ得るが、引き出されたベルトの引き出し長さを一定にするために、ベルト引き出しを固定する構成も備えている。その構成を図６に示す。図６(a)に示すように、巻き取られたベルト塊１７から引き出されたベルト１５は、固定装置１３の開口部１８の近傍に形成された迂回部２０内のコロ２１に沿って迂回した後に外に自由端が出ている。図６(b)で理解できるように、コロ２１は通常、長孔２２にてベルト引き出し方向と逆向きにテンションがかけられており、引き出しベルトの固定の際には、このテンションに抗してベルト１５を所定力以上で強く引くと、コロ２１が長孔２２の他端側へ変位し（図６(ｃ)）、迂回部２０の出口側がコロ２１よりも狭く形成されているために、この出口部にコロ２１が挟まって、引き出されたベルト１５を任意の一定量のものにする。回転方向切り換え式の一方向クラッチ機構を用いて、ベルト引き出しと、過剰な引き出しを防止するベルト係止の両方を実現することも可能である。このような一方向クラッチ機構を備える場合、手動式巻取り機構を兼ねることになり、ばね作用の巻き取り機構が不要となる。
【００２０】
引き出し量を一定とされたベルト１５は、既述のように、その先端のフック１６でパイプに掛けられる。パイプに掛けられることで実現する画像形成装置１に対するベルト１５の締め付けをしっかりしたものとするために、図７に示す増し締め機構２４をベルト１５の途中に備えていてもよい。増し締め機構２４は、ベルト１５の幅と同様の幅を有しベルト端部と回動可能に繋がった第１プレート２５と、この第１プレート２５の長手方向側縁の途中に支承され別のベルト端部と回動可能に繋がった腕部付き第２プレート２６とで構成されており（図７(a)）、第１プレート２５を第２プレート支承位置２７を中心に回動させることで、２本のベルト１５が近づき、増し締めが実現する（図７(b)）。切り換え式一方向クラッチ機構を採用している場合には、ベルト引き出し後にクラッチ回転方向を切り換え、その切り換え回転方向にクラッチを回転させることで、ベルトの増し締めを実現することができる。
【００２１】
なお図５の例では、固定装置１３内にばね負荷された巻き取り機構２０を備えているが、図８の例のように、滑車２８を利用することで巻き取り機構を別の個所に、例えば底板１１の下面に取り付けるようにしてもよい。そのような構成によれば、搬送対象物の収納スペースに対する制約が生じないし、重心を下げる効果をもたせることもできるようになる。その場合、パイプ内径との関係で、ベルトの代わりにロープ２９のような細い部材が用いられる。その際、図９に示すように、複数の巻き掛け部材（ロープ）のための巻き取り・引き出し・係止機構３０とすれば、操作性が向上する。このような巻き取り・引き出し・係止機構としては、既述の回転方向切り換え式の一方向クラッチ機構が考えられる。図９の例では、巻き掛け部材は対角位置から出るようになっている。
【００２２】
以上は、物品搬送保管装置１０に固定装置１３やベルト巻き取り機構２０などを一体化させた例である。左右両面と奥側をパイプ格子で囲んだ構成を有する汎用のキャスタ付き台車に着脱自在な収納機能付き固定装置３３の例を、図１０を用いて説明する。このような着脱自在な固定装置３３は、汎用台車に簡単に装着することができ、上記した固定装置１３を備えた物品搬送保管装置１０と同じ効果を奏するようになる。この固定装置３３は、本体内部に図５に基づき説明した巻き取り機構２０を内蔵し（図示せず）、図６に基づき説明した引き出しベルト固定機構を備え（図示せず）、ベルト１５の先端にはフック１６を有し（図示せず）、ベルト途中には増し締め機構２４を備える（図示せず）ほか、支柱に取り付けられるために装着リング３５を有している。固体部材３３は装着リング３５で支柱（軸線のみ示される）に取り付けられ、ネジ３７によってねじ締められ支柱に固定される。当然ながら、巻き取り機構２０や引き出しベルト固定機構や増し締め機構２４を個別に備える代わりに回転方向切り換え式の一方向クラッチ機構を備えるようにしてもよい。
【図面の簡単な説明】
【００２３】
【図１】本発明の一実施例に係る物品搬送保管装置を示す斜視図である。
【図２】図１の物品搬送保管装置に画像形成装置を載置し締め付け固定した状態を示す斜視図である。
【図３】ベルト先端にフックが取り付けられた様子を示す概略図である。
【図４】パイプ格子の四隅に固定装置を備え、左右前後にベルトを掛け、衝撃緩和作用を奏するようにした構成を示す平面図（ａ）で、図４（ｂ）は多方向の力に対応できることを概念的に示している。
【図５】固定装置に巻き取り機構が内蔵された様子を説明する図である。
【図６】引き出されたベルトの引き出し量を一定にするための固定機構を示す平面図（ａ）で、図６（ｂ）はその部分拡大図、図６（ｃ）は引き出されたベルトが固定される様子を説明する図である。
【図７】ベルトの増し締め機構を示す概略図であり、図７（ａ）は増し締めを行う直前の状態、図７（ｂ）は増し締めを実現した状態を示している。
【図８】巻き取り機構を別位置にした場合の巻き掛け部材が支柱から出る様子を示す概略図である。
【図９】巻き取り部を底板の一箇所にまとめた例を示す概略斜視図である。
【図１０】支柱に着脱自在な固定装置を示す概略斜視図である。
【符号の説明】
【００２４】
１０  物品搬送保管装置
１１  底板
１２  ロールケージ（パイプ格子）
１３  固定装置
１４  キャスタ
１５  ベルト
１６  フック
１９  基枠
２０  迂回部
２１  コロ
２２  長孔
２４  増し締め機構
２８  滑車
３０  巻き取り・引き出し・係止機構
３３  着脱自在な収納機能付き固定装置
３５  装着リング
【図１】
2005161924.tif 000003
【図２】
2005161924.tif 000004
【図３】
2005161924.tif 000005
【図４】
2005161924.tif 000006
【図５】
2005161924.tif 000007
【図６】
2005161924.tif 000008
【図７】
2005161924.tif 000009
【図８】
2005161924.tif 000010
【図９】
2005161924.tif 000011
【図１０】
2005161924.tif 000012